(57)【要約】【課題】  空になった灯油タンクの給油作業を、女性や高齢者でも手を汚すことなく、安全且つ容易に行うことができるようにした給油装置を提供する。【解決手段】  支持台２とタンク載せ台３とストッパー４とからなり、上記支持台２は、その基板１０の中央部に所定間隔をおいて軸受板１１、１１を対向立設し、該軸受板上端部には軸受部１２、１２を夫々設けてある。  上記タンク載せ台３は、矩形状台板２０の両側に軸支部２１、２１を設け、該軸支部と前記軸受部に亘り回転軸２２、２２を装着し、前記台板の長手方向両端部上側には灯油タンクの両側端部を係止する係止板２４、２５を夫々付設すると共に、前記台板の上側略中央部には灯油タンクの中央部外周を抑止し得る抑止材３０を設けてある。  上記ストッパー４は、前記タンク載せ台３が前記回転軸２０を支点として両側に回転した際、該タンク載せ台を所定の傾斜角度に保持し得るように、前記支持台２又はタンク載せ台３の適所に設けてある。【選択図】  図１
2005001763.tif 000002
【特許請求の範囲】
【請求項１】
支持台とタンク載せ台とストッパーとからなり、上記支持台は、その基板の中央部に所定間隔をおいて軸受板を対向立設し、該軸受板上端部には軸受部を夫々設けてあり、上記タンク載せ台は、矩形状台板の両側に軸支部を設け、該軸支部と前記軸受部に亘り回転軸を装着し、前記台板の長手方向両端部上側には灯油タンクの両側端部を係止する係止板を夫々付設すると共に、前記台板の上側略中央部には灯油タンクの中央部外周を抑止し得る抑止材を設けてあり、上記ストッパーは、前記タンク載せ台が前記回転軸を支点として両側に回転した際、該タンク載せ台を所定の傾斜角度に保持し得るように、前記支持台又はタンク載せ台の適所に設けてあることを特徴とする灯油タンク用給油装置。
【請求項２】
上記タンク載せ台は、台板裏側に中央部よりやや一方に寄せた位置に軸支部を対設して、両軸支部間に回転軸を架設すると共に、該回転軸の両側端部を前記軸受部に夫々軸支してあることを特徴とする請求項１記載の灯油タンク用給油装置。
【請求項３】
上記タンク載せ台は、台板表側の中央部よりやや一方に寄せた位置の両側に軸支部を備えた保持板を設け、両軸支部を前記軸受部に夫々軸支してあることを特徴とする請求項１記載の灯油タンク用給油装置
【請求項４】
上記係止板は、その一方を台板上面に沿って所定巾移動可能に形成してあることを特徴とする請求項１、２又は３記載の灯油タンク用給油装置。
【請求項５】
上記抑止材は、台板の回転軸部分の両側に保持板を対向立設し、両保持板の上端部に亘り抑止杆を上下移動又は回動可能に設けてあることを特徴とする請求項１乃至４の何れかの項記載の灯油タンク用給油装置。
【請求項６】
上記ストッパーは、支持台の基板上面に突設して、タンク載せ台が前記回転軸を支点として両側に回転した際、その一側端部又は両側端部の下側面が係止し得るようにしてあることを特徴とする請求項１乃至５の何れかの項記載の灯油タンク用給油装置。
【請求項７】
上記ストッパーは、軸受板の内側壁面の適所に設けてあり、タンク載せ台が回転軸を支点として両側に回転した際、その台板下側面が当接し得るようにしてある請求項１乃至５の何れかの項記載の灯油タンク用給油装置。
【発明の詳細な説明】
【技術分野】
【０００１】
本発明は、空になった灯油タンクの給油作業を、女性、子供、高齢者等でも容易に行うことができるようにした給油装置に関するものである。
【背景技術】
【０００２】
従来は、空の灯油タンクに給油する場合には、タンク本体の把手を持って燃焼装置本体のタンク収容部から取出し、その後、把手を持ったままタンクの天地を逆にして、給油口の口金を上に向けた状態で立てて置き、口金を取外して灯油ポンプで給油していた。而して、給油が完了した後は両手で再び天地を逆にして把手を持ち、口金を下にして燃焼装置本体のタンク収容部に装着している。
【発明の開示】
【発明が解決しようとする課題】
【０００３】
空の灯油タンクは軽いから天地を逆にすることは女性や高齢者でも容易に行うことができるが、満タン後は相当重くなるため、一旦両手で持ち上げた後、天地を逆にして把手を持つことは、女性や子供、高齢者等にとっては難しいことであって、天地を逆にするときに誤ってタンクを落とす惧れがあり、給油作業を容易に行うことができなかった。また、給油中に、タンクを倒して灯油をこぼしたり、手を汚したりすることが屡々あった。
本発明は、上記難点に鑑みなされたものであって、空になった灯油タンクの給油作業を、女性、子供、高齢者等でも、灯油で手を汚すことなく、安全且つ容易に行うことができるようにした給油装置を提供しようとするものである。
【課題を解決するための手段】
【０００４】
上記目的を達成するために、本発明に係る灯油タンクの給油装置は、支持台とタンク載せ台とストッパーとからなり、上記支持台は、その基板の中央部に所定間隔をおいて軸受板を対向立設し、該軸受板上端部には軸受部を夫々設けてあり、上記タンク載せ台は、矩形状台板の両側に軸支部を設け、該軸支部と前記軸受部に亘り回転軸を装着し、前記台板の長手方向両端部上側には灯油タンクの両側端部を係止する係止板を夫々付設すると共に、前記台板の上側略中央部には灯油タンクの中央部外周を抑止し得る抑止材を設けてあり、上記ストッパーは、前記タンク載せ台が前記回転軸を支点として両側に回転した際、該タンク載せ台を所定の傾斜角度に保持し得るように、前記支持台又はタンク載せ台の適所に設けてある。
また、上記タンク載せ台は、台板裏側の中央部よりやや一方に寄せた位置に軸支部を対設し、両軸支部間に回転軸を架設すると共に、該回転軸の両側端部を前記軸受部に夫々軸支することができる。
また、上記タンク載せ台は、台板表側の中央部よりやや一方に寄せた位置の両側に軸支部を備えた保持部を設けて、両軸支部を前記軸受部に夫々軸支するようにすることができる。
また、上記係止板は、その一方を台板上面に沿って所定巾移動可能に形成することができる。
また、上記抑止材は、台板の回転軸部分の両側に保持板を対向立設し、両保持板の上端部に亘り抑止杆を上下移動又は回動可能に設けることができる。
また、上記ストッパーは、支持台の基板上面に突設して、タンク載せ台が前記回転軸を支点として回転した際、その一側端部又は両側端部の下側面が係止し得るように形成することができる。
また、上記ストッパーは、軸受板の内側壁面の適所に設けてあり、タンク載せ台が回転軸を支点として両側に回転した際、その台板下側面が当接し得るように形成することができる。
【発明の効果】
【０００５】
本発明の給油装置は、上記のような構成であるから、空の灯油タンクを灯油燃焼装置より取出した状態のままでタンク載せ台に載置することが出来ると共に、タンク載せ台を半回転させることで灯油タンクの給油作業を容易に行うことが出来る。従って、女性、子供、高齢者または身体に多少の障害がある人であっても、灯油タンクへの給油作業を安全且つ容易に行うことができる。また、給油作業中にタンクが倒れて灯油をこぼしたり、灯油が手に付いたりする惧れもない。
また、請求項２のように、タンク載せ台は、台板裏側の中央部よりやや一方に寄せた位置に軸支部を対設し、該軸支部間に回転軸を架設すると共に、該回転軸の両側端部を軸受部に夫々軸支しておけば、タンク載せ台の回動操作を極めて円滑に行うことができる。
また、請求項３のように、上記タンク載せ台は、台板表側の中央部よりやや一方に寄せた位置の両側に軸支部を備えた保持部を設けて、両軸支部を前記軸受部に夫々軸支するようにしておけば、タンク載せ台の回動操作を一層円滑に行うことができる。
また、請求項４に示すように、一方の係止板を台板上面に沿って所定巾移動可能に形成しておけば、長さの異なる灯油タンクを確実にタンク載せ台に固定することができるので、安全に給油作業ができる。
また、請求項５に示すように、抑止材は、台板の回転軸部分の両側に保持板を対設し、両保持部の端部に亘り抑止杆を調節可能に設けておけば、太さの異なる灯油タンクをタンク載せ台に確実に固定することができると共に、灯油タンクのタンク載せ台への載置及び取外しをスムーズに行うことができる利点がある。
また、請求項６のように、ストッパーは、前記支持台の基板上面に突設して、タンク載せ台が前記回転軸を支点として回転した際、その一側端部又は両側端部の下側面が係止し得るように形成しておけば、タンク載せ台を所定角度に傾斜した状態に保持することができる。
また、請求項７のように、ストッパーは、軸受板の内側壁面の適所に設けてあり、タンク載せ台が回転軸を支点として両側に回転した際、その台板下側面が当接し得るように形成しておけば、構成が簡単であり、タンク載せ台を所定角度に傾斜した状態に保持することができる。
また、下記実施例に示すように、タンク載せ台を支持台より分離可能に形成すると共に、支持台の支持板を基板より分離可能に形成し置けば、嵩張らないので不使用時の収納が極めて容易であると共に、組立ても容易に行うことができる。
【発明を実施するための最良の形態】
【０００６】
空になった灯油タンクの給油作業を、女性、子供、高齢者等でも、灯油で手を汚すことなく、安全且つ容易に行うことができるようにするという目的を、簡単な構成と少ない部品で実現した。
【実施例１】
【０００７】
以下添付図面を参照して、本発明の実施例を説明する。
図１乃至図３に於いて、１は給油装置を示し、支持台２、タンク載せ台３及びストッパー４とからなっている。
而して、上記支持台２は、長方形状の基板１０の中央部両側に、台形状の軸受板１１、１１を所定間隔をおいて対向立設し、該軸受板１１、１１の上端中央部には軸受部１２、１２を夫々設けてある。而して、前記各軸受板１１は、取付ねじ又は連結金具等を用いて、基板１０に夫々着脱し得るように形成してある。
【０００８】
上記タンク載せ台３は、灯油タンクａの幅より稍広幅にして、タンクａの長さより稍長く形成した矩形状台板２０の裏側に、その中央部よりやや一方に寄せた位置に軸支部２１、２１を対設し、両軸支部に回転軸２２を架設すると共に、回転軸２２の突出端部２３、２３を前記軸受部１２に夫々軸支してある。而して、軸受部１２の上端には軸着片２８を着脱可能に被着し、前記タンク載せ台３を支持台２より着脱し得るように形成してある。また、前記台板２０の長手方向左右両端部上面には、灯油タンクａを載せた場合、その長手方向左右両側端が係止し得るタンク係止板２４、２５を付設してある。
而して、一方の係止板２４は台板２０に固着してあるが、他方の係止板２５は、灯油タンクａの長さに応じて調節できるように移動可能に設けてある。即ち、台板２０の端部に所定間隔をおいてねじ孔２６を並設してあり、取付ねじ２７により、係止板２５を台板２０の所定位置に固定し得るようにしてある。
【０００９】
３０は、前記台板２０上に灯油タンクａを載せた場合に濫りに抜け出さないようにするために設けた抑止材であって、前記台板２０の軸支部２１、２１部分の両側には保持板３１、３１を対設し、両保持部の端部に亘り抑止杆３２を架設してある。
而して、前記抑止杆３２の両端部内側には、上記保持板３１の外側に沿ってスライドし得る支承部３３、３３を対設すると共に、該支承部３３には長溝３４を設けてあり、この長溝３４に調節ねじ３５を嵌合し、灯油タンクａの太さに応じて支承部３３の固定位置を変えて、抑止杆３２の位置を調節できるようにした。
而して、前記抑止杆３２の両側縁部を緩やかに外側に向けて彎曲させると共に、保持板３１、３１の両側には台板２０の側辺に沿ってガイド縁３６、３６を設けて、灯油タンクａの差し込みや抜き取りを一層容易にできるようにしてある。
【００１０】
上記ストッパー４は、両軸受板１１間の基板１０上面に固着してあり、その左側端部から右側端部に掛けて徐々に厚く形成すると共に、その左右両端部に斜面部４０、４１を形成し、クッション材４２、４３を夫々付着してある。
而して、図５に示すように、タンク載せ台３が６０〜６５度位に傾斜して、タンクの把手側が斜め上方に位置する場合、タンク給油口側の台板裏面がストッパー４の肉厚側に設けたクッション材４３に当接し、また、図６に示すように、タンク載せ台３を反対側に回転させて、７０度位に傾斜してタンク給油口側が上方に位置する場合、タンク把手側の台板裏面がストッパー４の肉薄側に設けたクッション材４２に当接するように形成してある。
【００１１】
上記のように、空のタンクａをタンク載せ台３上に載せたり、抜き取るには、台板２０が６０〜６５度位に傾斜していると操作し易いものであり、又、注油時にはタンクａが７０度位に急傾斜していると油面窓の観察も容易である。
而して、台板２０を上記のような角度で停止させるには、上記回転軸２２をやや係止板２４寄りに設け、ストッパー４の右側端部を左側端部より肉厚に形成することが好ましい。
【００１２】
本給油装置を用いて、灯油タンクａへの給油手順を説明すると、先ず、図４及び図５に示すように、タンク載せ台３の係止板２４側を下側に半回転させて、その下側面がクッション材４３に係止した状態にする。而して、空になった灯油タンクａを、把手ｂを持って燃焼器から持ち上げた状態、即ち給油口ｃを下にした状態のままタンク載せ台にスライドさせるようにして載せると、灯油タンクａの給油口側が係止板２４で係止されると共に、その中央部外周は抑止杆３２で保持される。
次に、図６に示すように、タンク載せ台３の係止板２５側をその下側面がクッション材４２に当たるまで逆方向に半回転させると、タンクの把手側が係止板２５に係止し、給油口が上方に位置する。而して、この状態で給油口の口金を開けて給油し、満タンになった後再び口金を閉める。
次に、灯油タンクａの把手側端部を持ち上げるようにタンク載せ台３を回転して、タンク載せ台３の係止板２５側下端面がクッション材４３に当接すると、把手ｂが持ちやすいように上方に位置する。而して、満タンになった灯油タンクａを、その把手ｂをもってタンク載せ台３から引き抜くようにして取り出した後、そのままの状態で燃焼装置の収納部に収容すればよい。
【００１３】
なお、上記各実施例に於いては、一方の係止板２４を台板上面に沿って所定巾移動可能に形成して、長さの異なるタンクａを台板２０に固定することが出来るように形成したが、両係止板２４、２５を台板２０に固着することもできる。その場合には、同じメーカーまたはメーカーが違っても、長さが同じタンクａであれば支障なく固定することができる。
【００１４】
また、上記各実施例では、抑止材３０を保持板３１と抑止杆３２とで形成し、該抑止杆３２をタンクａの太さに応じて調節可能に形成したが、該抑止杆３２を保持板３１と一体に形成することもできる。その場合は、前記抑止杆３２を太さの大きいタンクａを基準にして形成しておけば良い。
【００１５】
また、上記各実施例では、ストッパー４を、左側端部から右側端部に掛けて徐々に厚く形成すると共に、その左右両端部に斜面部４０、４１を形成し、クッション材４２、４３を夫々付着して形成したが、肉厚の異なるクッション材を所要間隔離して基板１０上に夫々設けておくこともできる。
【００１６】
また、図示省略したが、所定以上の加圧力が加わると抵抗値が急激に低下する加圧導電ゴム製のバッドを、例えば軸受部１２の内側底部に装着して置くか、または一方のクッション材４２を加圧導電ゴムで形成して置き、満タン時に回転軸端部２３叉はクッション材４２に加わる圧力によりブザーを鳴らすようにしておけば、灯油を溢れさせる惧れがない。また、支持台２の基板１０適所に、給油時に取外した給油口の口金を一時載せておくことが出来る支持棒等を設けておくことも出来る。
【実施例２】
【００１７】
図８乃至図１１に従って、本実施例につき説明する。なお、上記実施例１と同一の部位には同じ符号を使用した。
本実施例に於いては、給油装置１の支持台２及びタンク載せ台３は硬質プラスチック材を用いて成形してある。
而して、支持台２は、その基板１０の中央部両側に沿って長形の凹部５０を夫々形成し、該凹部５０には軸受板１１、１１の下側端部を挿着して立設し得るようにしてある。上記軸受板１１の上側部には軸受部１２を設けてある。
タンク載せ台３は、矩形状台板２０の長手方向両側端部に、タンク係止板２４、２５を設け、該タンク係止板の内側面中央部には、給油タンクの端部を保持し得る緩衝材５１、５１を夫々付設してある。
また、台板２０の一側端部には、長手方向に沿って所定間隔毎にスリット状の係合孔５２を並設すると共に、両側に立設したガイド縁３６、３６には、前記各係合孔５２と同列を成すように一対の係止溝５３、５３を並設してある。
而して、一方の係止板２４は台板２０の端部に固着してあるが、他方の係止板２５は、灯油タンクａの長さに応じて、係止板２４との距離を調節できるように、所要幅移動可能に設けてある。即ち、係止板２５の下側縁部を台板の係合孔５２に嵌合すると共に、両端部の係合縁５８、５８を、ガイド縁３６の係止溝５３、５３に夫々嵌合することにより、台板の所定位置に固定し得るようにしてある。
また、台板２０の長手方向両側には、そのやや係止板２４よりの位置に保持板３１、３１を対設し、その両保持板３１、３１の下側部には前記軸受部１２、１２に装着する軸支部２１、２１を夫々設けてある。また、両保持板３１、３１の上側には軸孔５４を夫々設けてある。
また、３２は、台板２０上に載せた灯油タンクａが濫りに抜け出さないようにするための抑止杆であって、その両端部に折曲形成した支承部３３、３３の各先端部を、前記保持板３１の軸孔５４に回動可能に軸着してある。
また、前記台板２０の上面には表面がざらついたマット材５５を敷設して、サイズの異なる給油タンクａを載せた場合に、その長手方向の移動が緩やかに行われるようにしてある。なお、５６は台板裏面にその側辺に沿って設けた補強縁であり、５７はガイド縁３６、３６の端部間に架け渡した手掛杆を示す。
４はストッパーであって、前記軸受板１１、１１の内側壁面の上側部及び下側部の適所に対向するように突設してある。而して、このストッパー４は、図９に示すように、灯油タンクａをタンク載せ台３に載せる時及び抜取り時には、上側ストッパー４ａに係止板２４側の補強縁５６の下側面が当接して、タンク載せ台３を所要角度（約５０〜６０度度位）に保持し得るようにすると共に、給油時には、図１０に示すように、下側ストッパー４ｂに係止板２５側の補強縁５５の下側面が当接して、タンク載せ台３を所定角度（約７０〜８０度位）に保持し得るようにしてある。
なお、本実施例に於いても、所定以上の加圧力が加わると抵抗値が急激に低下する加圧導電ゴム製のバッドを、例えば軸受部１２の内側底部に装着して置くか、またはベース上面に加圧導電ゴムを貼着して置き、満タン時に回転軸端部２３叉は前記加圧導電ゴムに加わる圧力によりブザーを鳴らすようにしておけば、灯油を溢れさせる惧れがない。
また、支持台２の基板１０適所に、給油時に取外した給油口の口金を一時載せておくことが出来る支持棒等を設けておくことも出来る。
【００１８】
本実施例に於いては、図９に示すように、空の灯油タンクａに給油する際には、タンク載せ台３の係止板２４側を下側に略半回転させて、係止板２４側の補強縁５６の下側面が上側ストッパー４ａに係止した状態にする。なお、一方の係止板２５は、使用する灯油タンクａの長さに応じて、灯油タンクの移動幅が最も小さくなる位置に固定しておく。
而して、灯油タンクａを把手ｂを持って燃焼装置から持ち上げた状態、即ち給油口ｃを下にした状態のままタンク載せ台３にスライドさせるようにして載せると、灯油タンクａの給油口側が係止板２４で係止され、その端部の巻締縁部ｄが緩衝材５１と台板２０間に保持されると共に、その中央部外周は抑止材３０の抑止杆３２で保持される。
次に、図１０に示すように、手掛杆５７に手を掛けて、タンク載せ台３の係止板２５側の補強縁５６の下側面が下側ストッパー４ｂに当たるまで逆方向に半回転させると、タンクの把手側が係止板２５に係止し、その端部の巻締縁部ｄが緩衝材５１と台板２０間に保持され、給油口が上方に位置する。
而して、抑止杆３２が反対方向に所要角度α回動して、給油タンクａの胴部が抜け出さないように抑止する。この状態で給油口の口金を開けて給油し、満タンになった後再び口金を閉める。
次に、手掛杆５７を掴んで、灯油タンクａの把手側端部を持ち上げるようにタンク載せ台３を反対方向に回動して、係止板２４側の補強縁５６の下側面を上側ストッパー４ａに当接させると、把手ｂが持ちやすいように上方に位置する。
【産業上の利用可能性】
【００１９】
女性、高齢者などにとって面倒であった、灯油タンクへの給油作業を安全かつ容易にできる。また、構成が極めて簡単であるので、低価格で提供できる。
【図面の簡単な説明】
【００２０】
【図１】装置全体の斜視図である。
【図２】タンク載せ台が一方に傾斜している状態の側面図である。
【図３】図２におけるＡ−Ａ線断面図である。
【図４】タンクを差し込む状態の正面図である。
【図５】タンクを差し込んだ状態の正面図である。
【図６】タンクに給油時の状態を示す正面図である。
【図７】異なるサイズのタンクを差し込んだ状態の正面図である。
【図８】別実施例における側面図である。
【図９】別実施例におけるタンクを差し込んだ状態の断面図である。
【図１０】別実施例における給油時の状態を示す断面図である。
【図１１】図９におけるＢ−Ｂ線断面図である。
【符号の説明】
【００２１】
１    給油装置
２    支持台
３    タンク載せ台
４    ストッパー
１０    基板
１１    軸受板
１２    軸受部
２０    台板
２１    軸支部
２２    回転軸
２３    突出端部
２４    タンク係止板
２５    タンク係止板
２６    ネジ孔
２７    取付ねじ
３０    抑止材
３１    保持板
３２    抑止杆
３３    支承部
３４    長溝
３５    調節ねじ
３６    ガイド縁
４０    斜面部
４１    斜面部
４２    クッション材
４３    クッション材
５０    凹部
５１    緩衝材
５２    係合孔
５３    係止溝
５４    軸孔
５５    マット材
５６    補強縁
５７    手掛杆
５８    係合縁
【図１】
2005001763.tif 000003
【図２】
2005001763.tif 000004
【図３】
2005001763.tif 000005
【図４】
2005001763.tif 000006
【図５】
2005001763.tif 000007
【図６】
2005001763.tif 000008
【図７】
2005001763.tif 000009
【図８】
2005001763.tif 000010
【図９】
2005001763.tif 000011
【図１０】
2005001763.tif 000012
【図１１】
2005001763.tif 000013